Podtech/llm-jp-corpus-v4-ja_patent huggingface dataset:
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
取替可能な容器（３）からの流体（２）を噴霧するためのネブライザ（１）と、
前記流体（２）を収容する前記容器（３）と、を備えるシステムであって、
前記ネブライザ（１）は、
前記容器（３）を用いて実行されたか又は依然として実施可能な使用回数を計数する又は示すための表示デバイス（２５）と、
前記表示デバイス（２５）により計数された又は示された前記容器（３）を用いて実行されたか又は依然として実施可能な使用回数に基づいて、１つの前記容器（３）の予め定められた使用の後にロック状態で該容器（３）を用いる更なる使用に対して前記ネブライザ（１）を阻止するためのロッキングデバイス（２６）を含み、
前記容器（３）は、該容器（３）の未使用状態を示すための制御デバイス（２８）を含み、
前記制御デバイス（２８）は、前記ロッキングデバイス（２６）が前記表示デバイス（２５）を通じて前記制御デバイス（２８）によってアンロックされ、そして前記ロッキングデバイス（２６）をアンロックすることによって前記ネブライザ（１）を阻止解除するように、未使用容器（３）が前記ネブライザ（１）と共に最初に使用される時に前記表示デバイス（２５）をリセットし、前記制御デバイスは、前記ロッキングデバイス（２６）を間接的に、前記表示デバイス（２５）を通じて制御する、
ことを特徴とするシステム。
【請求項２】
前記制御デバイス（２８）は、制御部材（３２）を備え、該制御部材（３２）は、前記容器（３）の未使用状態のときにある第１の位置から、第２の位置に移動可能であり、前記第１の位置にある前記制御部材（３２）は前記容器（３）の前記未使用状態を示し、前記第２の位置にある前記制御部材（３２）は前記容器（３）が既に使用された状態を示すことを特徴とする請求項１に記載のシステム。
【請求項３】
前記ネブライザ（１）又はそのハウジング部分（１８）が前記容器（３）について最初に完全に閉じられて前記制御デバイス（２８）が内側にある時に、前記制御部材（３２）は、前記第１の位置を離れているか前記第２の位置にあることを特徴とする請求項２に記載のシステム。
【請求項４】
前記制御部材（３２）が前記第２の位置に移動した後、前記制御部材（３２）は移動して前記第１の位置に戻ることはできないことを特徴とする請求項２又は３に記載のシステム。
【請求項５】
前記制御部材（３２）は、皿状及び少なくとも実質的に平坦であることを特徴とする請求項２から請求項４のいずれか１項に記載のシステム。
【請求項６】
前記制御デバイス（２８）は、前記制御部材（３２）の開口部（３４）を通って軸線方向に延び、かつ前記制御部材（３２）の上に突出する中心ボルト（３３）を含む、
ことを特徴とする請求項２から請求項５のいずれか１項に記載のシステム。
【請求項７】
前記制御部材（３２）は、前記制御デバイス（２８）内で移動可能であることを特徴とする請求項２から請求項６のいずれか１項に記載のシステム。
【請求項８】
前記制御部材（３２）は、前記第１の位置に形状適合、圧力嵌め、又はスナップ装着によって保持されることを特徴とする請求項２から請求項７のいずれか１項に記載のシステム。
【請求項９】
前記第１の位置において、前記制御部材（３２）は、前記制御デバイス（２８）又は前記制御デバイス（２８）のハウジング（３１）のそれぞれの凹部（３６）の中に少なくとも１つの係合部分（３５）を用いて係合することを特徴とする請求項２から請求項８のいずれか１項に記載のシステム。
【請求項１０】
前記制御デバイス（２８）又は前記制御部材（３２）は、前記第１の位置を離れる前記制御部材（３２）を軸線方向に移動するか又は押下げるために、予め決められた制御力を印加する必要があるように構成されていることを特徴とする請求項２から請求項９のいずれか１項に記載のシステム。
【請求項１１】
前記制御部材（３２）は、前記第２の位置に形状適合、圧力嵌め、又はスナップ装着によって保持されることを特徴とする請求項２から請求項１０のいずれか１項に記載のシステム。
【請求項１２】
前記表示デバイス（２５）は、少なくとも１つの表示要素（４１）と前記表示要素を回転送りするための起動要素（４０）を含み、前記起動要素（４０）は前記容器（３）及び前記制御デバイス（２８）の軸線方向又は行程移動を段階的回転移動に変換することを特徴とする請求項１から請求項１１のいずれか１項に記載のシステム。
【請求項１３】
前記表示デバイス（２５）は、前記ロッキングデバイス（２６）を制御し又は起動し、前記表示デバイス（２５）は、前記ロッキングデバイス（２６）の制御要素（４７）と協働する少なくとも１つの突起（４２Ｃ）及び／又は凹部（４２Ｄ）を有する回転可能な部分を含むことを特徴とする請求項１から請求項１２のいずれか１項に記載のシステム。
【請求項１４】
前記突起（４２Ｃ）が、前記制御要素（４７）又は前記凹部（４２Ｄ）から離れて前記制御要素（４７）と接触するように移動される時に、前記制御要素（４７）は移動され、前記制御要素（４７）の前記移動は、ボルト又はロッキング要素（４６）をロック位置の中に又は外に移動させることを特徴とする請求項１３に記載のシステム。
【請求項１５】
前記ネブライザ（１）が、ハウジング（２４）と、前記容器（３）を挿入する又は取り替えるために前記ハウジング（２４）から取り外すことができるハウジング部分（１８）とを含むことを特徴とする請求項１から請求項１４のいずれか１項に記載のシステム。
【請求項１６】
前記表示デバイス（２５）は、前記ハウジング部分（１８）に配置されることを特徴とする請求項１５に記載のシステム。
【請求項１７】
前記ロッキングデバイス（２６）は、前記ロック状態で前記ネブライザ（１）の引張を又は前記容器（３）の軸線方向の移動及び／又は前記ネブライザ（１）に対する前記容器（３）の相対的な移動を阻止するようになっていることを特徴とする請求項１から請求項１６のいずれか１項に記載のシステム。
【請求項１８】
前記制御デバイス（２８）は、前記容器（３）の小出し開口部又はヘッド（３０）の反対側に及び／又は前記容器（３）の底部又はベース（２１）に配置されることを特徴とする請求項１から請求項１７のいずれか１項に記載のシステム。
【請求項１９】
前記制御デバイス（２８）は、前記容器（３）と分離不能に接続されることを特徴とする請求項１から請求項１８のいずれか１項に記載のシステム。
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
少なくとも２つの外側鋼層と、前記少なくとも２つの外側鋼層を互いに分離する少なくとも１つのスペーサーとを有する複合鋼。
【請求項２】
請求項１記載の複合鋼であって、さらに、各外側鋼層と前記スペーサーとの間に適用される接着剤を有する、複合鋼。
【請求項３】
請求項１記載の複合鋼において、前記２つの外側鋼層の少なくとも１つがステンレス鋼を有する、複合鋼。
【請求項４】
請求項１記載の複合鋼において、前記スペーサーが、鋼より密度が低い金属を有する、複合鋼。
【請求項５】
請求項４記載の複合鋼において、前記スペーサーが、アルミニウム、マグネシウム、またはアルミニウム若しくはマグネシウムの合金のいずれかを有する、複合鋼。
【請求項６】
請求項1記載の複合鋼において、前記スペーサーがポリマーまたは樹脂を有する、複合鋼。
【請求項７】
請求項６記載の複合鋼において、前記スペーサーが、炭素繊維、ガラス繊維、またはケブラー材料をさらに有する、複合鋼。
【請求項８】
複合鋼を製造する方法であって、少なくとも１つのスペーサーを用いて少なくとも２つの外側鋼層を交互配置する工程であって、前記少なくとも１つのスペーサーが前記外側鋼層の夫々を分離する、前記交互配置する工程を有する、方法。
【請求項９】
請求項８記載の方法であって、さらに、前記外側鋼層の夫々に前記スペーサーを接合する工程を有する、方法。
【請求項１０】
請求項９記載の方法において、前記接合する工程が前記複合鋼を加熱することによって達成される、方法。
【請求項１１】
成形された部品を製造する方法であって、請求項１記載の複合鋼から一部を成形する工程を有する、方法。
【請求項１２】
請求項１１記載の方法であって、さらに、前記成形する工程の間に前記外側鋼層の夫々に前記スペーサーを接合する工程を有する、方法。
【請求項１３】
請求項１１記載の方法であって、さらに、後続の工程において、前記成形する工程の後に前記外側鋼層の夫々に前記スペーサーを接合する工程を有する、方法。
【請求項１４】
請求項１３記載の方法において、前記後続の工程は、塗装工程または加熱工程のいずれかである、方法。
【手続補正２】
【補正対象書類名】明細書
【補正対象項目名】０００２
【補正方法】変更
【補正の内容】
【０００２】
高強度の鋼は、自動車産業で車両構造部品用に通常使用される。いくつかの例では、鋼の強度を増加させることにより、鋼のゲージを減らして材料の重量を節約することが可能であった。自動車の構造部品におけるそのようなゲージの減少は、材料の剛性を犠牲にし得る。したがって、軽量ゲージ鋼の使用を可能にしながら剛性をも維持する構造材料が必要とされたままである。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第６，１７１，７０５号明細書
（特許文献２）  米国特許出願公開第２００８／１０２２６３号明細書
（特許文献３）  米国特許出願公開第２００３／１２９３６４号明細書
（特許文献４）  国際公開第０２／３８３２１号
（特許文献５）  特許第４１３２１１２号公報
（特許文献６）  米国特許出願公開第２００７／２０７３０１号明細書
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
供給物流を分離する方法であって、
第１の成分および第２の成分を含む供給物流に対して膜分離を行って、前記第１の成分が富化された透過物および前記第１の成分が枯渇した保持物を形成すること、ここで、前記第１の成分および前記第２の成分は、炭化水素、炭化水素質化合物、無機化合物、またはそれらの組合せを含み、前記供給物流は５重量％から９５重量％の前記第１の成分を含む、を含み、
前記膜分離を行うことは、前記供給物流を、逆浸透条件または正浸透条件のうちの少なくとも１つの条件下で、第１の膜層および第２の膜層を含む膜構造体に曝露することを含み、前記逆浸透条件または正浸透条件は少なくとも０．２ＭＰａｇの供給物圧を含み、前記第１の成分は、膜の長さに沿っての少なくとも１つの位置について、供給物および透過物双方において液相にあり、該第１の膜層は、少なくとも２０ｎｍのメジアン細孔径の細孔からなる少なくとも０．２ｃｍ３／ｇの細孔容積を有し、前記第２の膜層は、少なくとも約１００ｍ２／ｇのＢＥＴ表面積を有し、かつ約３．０オングストロームから約５０オングストロームのメジアン細孔径を有する最小の実細孔径ピークを含む細孔径分布を有する多孔性炭素層を含む、方法。
【請求項２】
前記第２の膜層が少なくとも約３００ｍ２／ｇのＢＥＴ表面積を含む、または前記第２の膜層が約３．０オングストロームから約１０オングストロームのメジアン細孔径を有する最小の実細孔径ピークを含む細孔径分布を有する、またはそれらの組合せである請求項
１に記載の方法。
【請求項３】
前記第１の膜層が多孔性炭素層を含む、または前記第１の膜層が多孔性金属構造体を含む、請求項１または２に記載の方法。
【請求項４】
前記第１の成分が硫酸を含み、前記第２の成分が酸可溶性油を含み、前記最小の実細孔径ピークが約５．０オングストロームから約１０オングストロームのメジアン細孔径を有する、請求項１から３のいずれか一項に記載の方法。
【請求項５】
前記第２の成分が均一触媒を含み、前記最小の実細孔径ピークが約４．０オングストロームから約７．０オングストロームのメジアン細孔径を有する、請求項１から３のいずれか一項に記載の方法。
【請求項６】
前記第２の成分がメタクリル酸メチル、メタクリル酸、またはそれらの組合せを含む、または前記第２の成分が糖を含む、請求項１から３のいずれか一項に記載の方法。
【請求項７】
前記最小の実細孔径ピークが約３．０オングストロームから約６．０オングストロームのメジアン細孔径を有し、ａ）前記第１の成分が水であって、前記第２の成分がイソプロピルアルコールである、またはｂ）前記第１の成分がＣ４〜Ｃ８パラフィンを含み、前記第２の成分がＣ１０−Ｃ２０パラフィンを含む、請求項１から３のいずれか一項に記載の方法。
【請求項８】
前記第１の成分が水を含み、前記逆浸透条件または正浸透条件が少なくとも１．０ＭＰａｇの供給物圧を含み、前記第２の膜層が、約３．０オングストロームから約６．０オングストロームのメジアン細孔径を有する最小の実細孔径ピークを含む細孔径分布を有する、請求項１から３のいずれか一項に記載の方法。
【請求項９】
ａ）前記逆浸透条件または正浸透条件が約１．５ＭＰａｇから約２０ＭＰａｇの供給物圧を含む、ｂ）前記供給物流が約１．０重量％未満の水を含む、または前記供給物流が約０．１重量％から約３０重量％の水を含み、前記逆浸透条件または正浸透条件が約１．０ＭＰａｇから約１０ＭＰａｇの供給物圧を含む、またはｃ）前記供給物流が約１．０重量％未満の前記第２の成分を含む、または前記供給物流が約０．１重量％から約３０重量％の前記第２の成分を含み、前記逆浸透条件が約１０ＭＰａｇから約４０ＭＰａｇの供給物圧を含む、請求項８に記載の方法。
【請求項１０】
前記第１の成分および前記第２の成分が炭化水素質化合物を含む、または前記第１の成分および前記第２の成分が炭化水素異性体を含む、請求項１から３のいずれか一項に記載の方法。
【請求項１１】
前記最小の実細孔径ピークが約４．５オングストロームから約６．１オングストロームのメジアン細孔径を有し、ａ）前記第１の成分がエタノールを含む、またはｂ）前記第１の成分がイソブタンを含む、または前記第２の成分が２，２，４トリメチルペンタンを含む、またはそれらの組合せである、請求項１０に記載の方法。
【請求項１２】
前記最小の実細孔径ピークが約３．２オングストロームから約４．２オングストロームのメジアン細孔径を有し、前記第１の成分がエチレン、プロピレン、およびｎ−ブチレンのうちの少なくとも１つを含み、前記第２の成分がエタン、プロパン、およびｎ−ブタンのうちの少なくとも１つを含む、請求項１０に記載の方法。
【請求項１３】
前記供給物流が５重量％から９５重量％のｐキシレンを含み、前記第１の成分がｐキシレンであり、前記第２の成分がｍキシレンおよびｏキシレンのうちの少なくとも１つであり、前記第２の膜層が約５．８オングストロームから約６．８オングストロームのメジアン細孔径を有する最小の実細孔径ピークを含む細孔径分布を有する、請求項１０に記載の方法。
【請求項１４】
前記第１の成分および前記第２の成分の間のサイズの差が約２．０オングストローム以下である、またはピーク高さの半分における前記最小の実細孔径ピークのピーク幅が、前記第１の成分および前記第２の成分の間の前記サイズ差の約７５％以下である、またはそれらの組合せである、請求項１０から１３のいずれか一項に記載の方法。
【請求項１５】
前記最小のメジアン細孔径に対応する前記実細孔径ピークが、前記膜構造体が分離のための液体に曝露されない場合のメジアン細孔径とは１０％以下だけ異なる、前記膜構造体が前記分離のための液体に曝露された場合の前記メジアン細孔径を有する、またはそれらの組合せである、請求項１から１４のいずれか一項に記載の方法。
【手続補正書】
【提出日】令和1年9月27日(2019.9.27)
【手続補正１】
【補正対象書類名】明細書
【補正対象項目名】００８４
【補正方法】変更
【補正の内容】
【００８４】
式１４から始まる、Ｖ（ｘ）＝ｘＴＰｘの時間微分によりリスト化することにより、次の一連の同値関係が取得される。
2018536572.tif 000001
（式１５）
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
運動計画の方法であって、
制御可能カメラを有するエージェントの複数の異なる姿勢からオブジェクトを観測することと、
前記複数の異なる姿勢において観測された前記オブジェクトの可視ピクセルから決定される複数の３次元（３Ｄ）ハルの交差部に基づいて、前記オブジェクトの予想される体積を決定することと、
複数の潜在的な制御入力のうちの潜在的な制御入力に基づいて決定される可能な姿勢のセットの各異なる姿勢について、前記潜在的な後続の姿勢において観測されることが推定される前記オブジェクトの可視ピクセルに基づいて、後続の３Ｄハルを推定することと、各潜在的な後続の姿勢は、前記エージェントの現在の姿勢を維持しながら決定され、
後続の姿勢から前記オブジェクトを観測するために前記エージェントと前記カメラとを移動させるために、制御入力を決定することと、前記制御入力は、前記複数の３Ｄハルとの最小の推定された交差部を有する前記後続の３Ｄハルに対応し、これにより、前記オブジェクトの前記予想される体積が、前記後続の姿勢において前記カメラから収集されるビジュアルデータに基づいて低減され、
前記制御入力に基づいて、前記後続の姿勢に対応するロケーションに移動させるように、前記エージェントと前記カメラとを制御することと
を備える、方法。
【請求項２】
前記制御入力を前記決定することが、前記予想される体積を最小限に抑えるためにコストを最小限に抑えることに基づく、請求項１に記載の方法。
【請求項３】
前記制御入力が、前記複数の潜在的な後続の制御入力のバッチ処理を使用して決定される、請求項１に記載の方法。
【請求項４】
前記制御入力が順次決定される、請求項１に記載の方法。
【請求項５】
前記ロボットデバイスが、最小数の制御入力を使用して前記オブジェクトの周りを移動するようにさらに制御される、請求項１に記載の方法。
【請求項６】
カメラを備えたエージェントのための運動計画のための装置であって、
メモリと、
前記メモリに結合された少なくとも１つのプロセッサと
を備え、前記少なくとも１つのプロセッサは、
前記エージェントの前記カメラで、複数の異なる姿勢からオブジェクトを観測することと、
前記複数の異なる姿勢において観測された前記オブジェクトの可視ピクセルから決定される複数の３次元（３Ｄ）ハルの交差部に基づいて、前記オブジェクトの予想される体積を決定することと、
複数の潜在的な制御入力のうちの潜在的な制御入力に基づいて決定される各潜在的な後続の姿勢について、前記潜在的な後続の姿勢において観測されることが推定される前記オブジェクトの可視ピクセルに基づいて、後続の３Ｄハルを予想することと、各潜在的な後続の姿勢は、前記エージェントの現在の姿勢を維持しながら決定され、
後続の姿勢から前記オブジェクトを観測するために前記エージェントを移動させるために、制御入力を決定することと、前記制御入力は、前記複数の３Ｄハルとの最小の推定された交差部を有する前記後続の３Ｄハルに対応し、これにより、前記オブジェクトの前記予想される体積が、前記後続の姿勢において前記カメラから収集されるビジュアルデータに基づいて最小限に抑えられ、
前記制御入力に基づいて、前記後続の姿勢に対応するロケーションに移動させるように、前記エージェントを制御することと
を行うように構成された、装置。
【請求項７】
前記少なくとも１つのプロセッサが、前記予想される体積を最小限に抑えるためにコストを最小限に抑えることに基づいて前記制御入力を決定するようにさらに構成された、請求項６に記載の装置。
【請求項８】
前記少なくとも１つのプロセッサが、複数の潜在的な制御入力のバッチ処理を使用して前記制御入力を決定するようにさらに構成された、請求項６に記載の装置。
【請求項９】
前記少なくとも１つのプロセッサが、順次処理を使用して前記制御入力を決定するようにさらに構成された、請求項６に記載の装置。
【請求項１０】
前記少なくとも１つのプロセッサが、最小数の制御入力を使用して前記オブジェクトの周りを移動するように前記エージェントを制御するようにさらに構成された、請求項６に記載の装置。
【請求項１１】
カメラを備えたエージェントの運動計画のためのプログラムコードをその上に符号化した非一時的コンピュータ可読媒体であって、前記プログラムコードは、プロセッサによって実行され、
前記エージェントの前記カメラで、複数の異なる姿勢からオブジェクトを観測するためのプログラムコードと、
前記複数の異なる姿勢において観測された前記オブジェクトの可視ピクセルから決定される複数の３次元（３Ｄ）ハルの交差部に基づいて、前記オブジェクトの予想される体積を決定するためのプログラムコードと、
複数の潜在的な制御入力のうちの潜在的な制御入力に基づいて決定される可能な姿勢のセットの各異なる姿勢について、前記潜在的な後続の姿勢において観測されることが推定される前記オブジェクトの可視ピクセルに基づいて、後続の３Ｄハルを推定するためのプログラムコードと、各潜在的な後続の姿勢は、前記エージェントの現在の姿勢を維持しながら決定され、
後続の姿勢から前記オブジェクトを観測するために前記エージェントを移動させるために、制御入力を決定するためのプログラムコードと、前記制御入力は、前記複数の３Ｄハル内の最小の推定された交差部を有する前記後続の３Ｄハルに対応し、これにより、前記オブジェクトの前記予想される体積が、前記後続の姿勢において前記カメラから収集されるビジュアルデータに基づいて最小限に抑えられ、
前記制御入力に基づいて、前記後続の姿勢に対応するロケーションに移動させるように、前記エージェントを制御するためのプログラムコードと
を備える、非一時的コンピュータ可読媒体。
【請求項１２】
前記決定するためのプログラムコードは、前記予想される体積を最小限に抑えるためにコストを最小限に抑えることに基づいて前記制御入力を決定するためのプログラムコードをさらに備える、請求項１１に記載の非一時的コンピュータ可読媒体。
【請求項１３】
前記決定するためのプログラムコードは、前記複数の潜在的な制御入力のバッチ処理を使用して前記制御入力を決定するためのプログラムコードをさらに備える、請求項１１に記載の非一時的コンピュータ可読媒体。
【請求項１４】
前記決定するためのプログラムコードは、順次処理を使用して前記制御入力を決定するためのプログラムコードをさらに備える、請求項１１に記載の非一時的コンピュータ可読媒体。
【請求項１５】
前記制御するためのプログラムコードは、最小数の制御入力を使用して前記オブジェクトの周りを移動するように前記エージェントを制御するためのプログラムコードをさらに備える、請求項１１に記載の非一時的コンピュータ可読媒体。
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
薬品ボトル(104)のチャンバ(122)の内容物(102)をモニタリングするための装置であって、
第1の複数の電極(116)を備えるライナ(106)であって、前記複数の電極が前記チャンバの前記内容物と電気的に結合されるように前記複数の電極を位置決めするように寸法設定および構成される、ライナ(106)と、
電子回路(118)とを備える装置において、
前記電子回路は、(1)前記第1の複数の電極の中の第1の電極(116-i)と第2の電極(116-j)との間に刺激(126)を印加し、(2)第2の複数の電極のそれぞれにて応答(128)を測定するように動作し、前記第1の複数の電極は、前記第1の電極、前記第2の電極、および前記第2の複数の電極を含み、前記第2の複数の電極は、前記第1の電極および前記第2の電極を含まないことを特徴とする、装置。
【請求項２】
前記第2の複数の電極にて測定された前記応答に基づいて前記薬品ボトルの前記内容物の画像を作成するように動作するプロセッサ(124)をさらに備える、請求項1に記載の装置。
【請求項３】
前記刺激は電流および電圧の一方であり、前記応答は電流および電圧の他方である、請求項1に記載の装置。
【請求項４】
前記刺激は第1の音響信号であり、前記応答は前記第1の音響信号および前記内容物に基づく第2の音響信号である、請求項1に記載の装置。
【請求項５】
前記ライナは、前記第1の複数の電極が前記チャンバ内に位置するように、前記薬品ボトル内に嵌入するように寸法設定および構成される、請求項1に記載の装置。
【請求項６】
前記ライナは台座およびベースを備え、前記台座は前記ベースから突出し、前記台座は、前記第1の複数の電極の中の少なくとも1つの電極を備える、請求項5に記載の装置。
【請求項７】
前記ライナ(502)は、前記第1の複数の電極が前記チャンバの外部に位置するように、前記薬品ボトル(504)を位置決めするように動作するリザーバ(510)を備える、請求項1に記載の装置。
【請求項８】
薬品ボトル(104)のチャンバ(122)の内容物(102)をモニタリングするための方法であって、
第1の刺激(126)が前記内容物と相互作用するように第1の時点にて前記第1の刺激(126)を発生させるステップと、
前記チャンバの少なくとも一部分の周囲に位置する複数の位置のそれぞれにて第1の応答(128)を受信するステップであって、複数の第1の応答の各第1の応答は、前記第1の刺激と、前記第1の時点における前記チャンバの前記内容物と、前記複数の位置のうち前記第1の応答が受信される位置とに基づく、ステップと、
前記複数の第1の応答に基づいて前記内容物の第1の特徴の第1のマップを生成するステップと、
前記第1のマップに基づいて前記第1の時点にて前記チャンバ内の前記内容物の第1の量を判定するステップと
を含む、方法において、
前記第1の刺激は、第1の複数の電極の中の第1の電極と第2の電極との間に発生させられ、
前記複数の第1の応答の各第1の応答が、第2の複数の電極の各電極にて受信され、
前記第1の複数の電極は前記第2の複数の電極を含み、
前記第2の複数の電極は前記第1の電極および前記第2の電極を含まない、
ことを特徴とする、方法。
【請求項９】
第2の刺激(126)が前記内容物と相互作用するように第2の時点にて前記第2の刺激(126)を発生させるステップと、
前記複数の位置のそれぞれにて第2の応答(128)を受信するステップであって、複数の第2の応答の各第2の応答は、前記第2の刺激と、前記第2の時点における前記チャンバの前記内容物と、前記複数の位置のうち前記第2の応答が受信される位置とに基づく、ステップと、
前記複数の第2の応答に基づいて前記第1の特徴の第2のマップを生成するステップと、
前記第2のマップに基づいて、前記第2の時点にて前記チャンバ内の前記内容物の第2の量を判定するステップと、
前記第1の量と前記第2の量との間の差を示す出力信号(120)を生成するステップと
をさらに含む、請求項8に記載の方法。
【請求項１０】
前記第1の特徴は音響インピーダンスおよび誘電率から成る群から選択される、請求項8に記載の方法。
【請求項１１】
前記第1の刺激は電流であり、前記複数の第1の応答のそれぞれが電圧である、請求項8に記載の方法。
【請求項１２】
複数の電極を備えるライナ(502)を提供するステップをさらに含み、前記複数の電極の各電極が、前記複数の位置のうち異なる位置に位置する、請求項8に記載の方法。
【請求項１３】
前記ライナ(402)は、前記チャンバ内に位置するように提供される、請求項12に記載の方法。
【請求項１４】
前記ライナは、台座(304)を備えるように提供され、前記台座は、前記複数の電極の中の少なくとも1つを備える、請求項13に記載の方法。
【請求項１５】
前記ライナ(402)は、前記薬品ボトルを位置決めするように動作するリザーバ(510)を備えるように提供される、請求項12に記載の方法。
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
圧縮データを復号するための方法であって、前記方法は、
算術コーディングベースのコーディング技法を使用して符号化された符号化シンボルのストリングを備えるビデオデータストリームを受信することと、ここにおいて、符号化シンボルの前記ストリングが、１つまたは複数の復号シンボルの系列の符号化を表し、ここにおいて、前記１つまたは複数の復号シンボルの各々が、優勢シンボルおよび劣勢シンボルのうちの一方を備え、
前記符号化シンボルのうちの１つまたは複数に基づいて個数を決定することと、
前記個数としきい値のセットとの間の比較を実行することによって、１つまたは複数の復号シンボルの前記系列の中の連続する優勢シンボルの個数のカウントを決定することと、ここにおいて、前記個数は、前記しきい値のセットの各々と比較され、ここにおいて、前記しきい値のセットの各々は、連続する優勢シンボルの前記個数の候補カウントを表し、
前記複数の比較から決定された前記カウントに基づいて、１つまたは複数の復号シンボルの前記系列のシンボルのグループを復号することと、ここにおいて、シンボルの前記グループが、前記個数の連続する優勢シンボルを備える、
を備える、方法。
【請求項２】
１つまたは複数の復号シンボルの前記系列のシンボルの前記グループを前記復号することが、単一のクロックサイクルで完了する、請求項１に記載の方法。
【請求項３】
シンボルの前記グループが、さらに前記個数の連続する優勢シンボルに後続する１つの劣勢シンボルからなる、請求項１に記載の方法。
【請求項４】
符号化シンボルの前記ストリングが、ビットスタッフィング技法を使用することなく符号化される、請求項１に記載の方法。
【請求項５】
符号化シンボルの前記ストリングが、以下のもの、すなわち、算術コーディングおよびエントロピーコーディングのうちの１つに基づいて符号化される、請求項１に記載の方法。
【請求項６】
符号化シンボルの前記ストリングが、乗算器ベースのコーディング技法に基づいて符号化される、請求項１に記載の方法。
【請求項７】
シンボルの前記復号されたグループが、ピクチャのシーケンスの一部分を規定する１つまたは複数のシンタックス要素を示す、請求項１に記載の方法。
【請求項８】
圧縮データを復号するためのシステムであって、デコーダが、
算術コーディングベースのコーディング技法を使用して符号化された符号化シンボルのストリングを備えるビデオデータストリームを受信するように構成されたメモリと、ここにおいて、符号化シンボルの前記ストリングが、１つまたは複数の復号シンボルの系列のコーディングを表し、ここにおいて、前記１つまたは複数の復号シンボルの各々が、優勢シンボルおよび劣勢シンボルのうちの一方を備え、
前記符号化シンボルのうちの１つまたは複数に基づいて個数を決定することと、
前記個数としきい値のセットとの間の比較を実行することによって、１つまたは複数の復号シンボルの前記系列の中の連続する優勢シンボルの個数のカウントを決定することと、ここにおいて、前記個数は、前記しきい値のセットの各々と比較され、ここにおいて、前記しきい値のセットの各々は、連続する優勢シンボルの前記個数の候補カウントを表し、
前記複数の比較から決定された前記カウントに基づいて、１つまたは複数の復号シンボルの前記系列のシンボルのグループを復号することと、ここにおいて、シンボルの前記グループが、前記個数の連続する優勢シンボルを備える、
を行うように構成されたプロセッサと
を備える、システム。
【請求項９】
１つまたは複数の復号シンボルの前記系列のシンボルの前記グループを前記復号することが、単一のクロックサイクルで完了する、請求項８に記載のシステム。
【請求項１０】
シンボルの前記グループが、さらに前記個数の連続する優勢シンボルに後続する１つの劣勢シンボルからなる、請求項８に記載のシステム。
【請求項１１】
符号化シンボルの前記ストリングが、ビットスタッフィング技法を使用することなく符号化される、請求項８に記載のシステム。
【請求項１２】
符号化シンボルの前記ストリングが、以下のもの、すなわち、算術コーディングおよびエントロピーコーディングのうちの１つに基づいて符号化される、請求項８に記載のシステム。
【請求項１３】
符号化シンボルの前記ストリングが、乗算器ベースのコーディング技法に基づいて符号化される、および／または、シンボルの前記復号されたグループが、ピクチャのシーケンスの一部分を規定する１つまたは複数のシンタックス要素を示す、請求項８に記載のシステム。
【請求項１４】
前記複数の数値比較を並行して前記実行することは、
前記符号化シンボルのうちの前記１つまたは複数に基づいて、前記個数を生成することと、
前記個数を複数のしきい値の各々に対して並行して比較することと、
を備え、
ここにおいて、前記複数のしきい値は、連続する優勢シンボルの個数の複数の候補カウントに対応し、好ましくは、ここにおいて、１つまたは複数の復号シンボルの前記系列の中の連続する優勢シンボルの前記個数の前記カウントを前記決定することは、
前記複数の数値比較のうちの１つまたは複数の、１つまたは複数の比較結果に基づいて、および前記複数のしきい値から、前記符号化シンボルのうちの前記１つまたは複数に基づいて生成された前記個数に等しい第１のしきい値を決定することと、
前記複数の候補カウントから、前記第１のしきい値に対応する第１の候補カウントを決定することと、
前記第１の候補カウントに基づいて、前記カウントを決定することと
を備える、請求項１に記載の方法。
【請求項１５】
実行されると、データを復号するためのデバイスのプロセッサに、請求項１ないし７または１４のいずれかに記載の方法を実行させる命令を記憶した非一時的なコンピュータ可読媒体。
【手続補正書】
【提出日】令和1年10月28日(2019.10.28)
【手続補正１】
【補正対象書類名】特許請求の範囲
【補正対象項目名】全文
【補正方法】変更
【補正の内容】
【特許請求の範囲】
【請求項１】
無線通信方法であって、
ベースステーションによって、アンライセンスキャリアに対してアクセスするためのパラメータを生成するステップであって、前記パラメータは少なくとも、最大コンテンションウインドウ（ＣＷ）値、最小ＣＷ値、および待ち期間内の９μｓ時間スロットの個数を示す、ステップ、
前記ベースステーションによって、前記パラメータをユーザ機器（ＵＥ）に対して送信するステップ、
を含む方法。
【請求項２】
前記方法はさらに、
前記ベースステーションによって、各前記アンライセンスキャリアについてエネルギー検出閾値を決定するステップを有する、
請求項１記載の方法。
【請求項３】
無線通信装置であって、
アンライセンスキャリアに対してアクセスするためのパラメータを生成するように構成された生成モジュールであって、前記パラメータは少なくとも、最大コンテンションウインドウ（ＣＷ）値、最小ＣＷ値、および待ち期間内の９μｓ時間スロットの個数を示す、生成モジュール、
前記パラメータをユーザ機器（ＵＥ）に対して送信するように構成された送信モジュール、
を備える装置。
【請求項４】
前記装置はさらに、
各前記アンライセンスキャリアについてエネルギー検出閾値を決定するように構成された決定ユニットを備える
ことを特徴とする請求項３記載の装置。
【請求項５】
プロセッサが実行したとき前記プロセッサに方法を実行させるコードを格納したコンピュータ記憶媒体であって、前記方法は、
ベースステーションによって、アンライセンスキャリアに対してアクセスするためのパラメータを生成するステップであって、前記パラメータは少なくとも、最大コンテンションウインドウ（ＣＷ）値、最小ＣＷ値、および待ち期間内の９μｓ時間スロットの個数を示す、ステップ、
前記ベースステーションによって、前記パラメータをユーザ機器（ＵＥ）に対して送信するステップ、
を含む
ことを特徴とする記憶媒体。
【請求項６】
前記方法はさらに、
前記ベースステーションによって、各前記アンライセンスキャリアについてエネルギー検出閾値を決定するステップを有する、
ことを特徴とする請求項５記載の記憶媒体。
【請求項７】
無線通信方法であって、
ユーザ機器（ＵＥ）において、アンライセンスキャリアに対してアクセスするためのパラメータをベースステーションから受信するステップであって、前記パラメータは少なくとも、最大コンテンションウインドウ（ＣＷ）値、最小ＣＷ値、および待ち期間内の９μｓ時間スロットの個数を示す、ステップ、
前記ＵＥによって、前記パラメータにしたがって前記アンライセンスキャリアへアクセスするアクセスメカニズムを実施するステップ、
を有することを特徴とする方法。
【請求項８】
前記方法はさらに、
前記ＵＥによって、前記アンライセンスキャリアについてエネルギー検出閾値を決定するステップを有する
ことを特徴とする請求項７記載の方法。
【請求項９】
無線通信装置であって、
プロセッサ、
前記プロセッサが実行したとき前記プロセッサに、
アンライセンスキャリアに対してアクセスするためのパラメータをベースステーションから受信するステップであって、前記パラメータは少なくとも、最大コンテンションウインドウ（ＣＷ）値、最小ＣＷ値、および待ち期間内の９μｓ時間スロットの個数を示す、ステップ、
前記パラメータにしたがって前記アンライセンスキャリアへアクセスするアクセスメカニズムを実施するステップ、
を実行させるコードを格納したメモリ、
を備える
ことを特徴とする装置。
【請求項１０】
前記プロセッサは、
前記アンライセンスキャリアのＭＨｚ帯域幅にしたがって、前記アンライセンスキャリアについてエネルギー検出閾値を決定するように構成されている
ことを特徴とする請求項９記載の装置。
【請求項１１】
プロセッサが実行したとき前記プロセッサに方法を実行させるコードを格納したコンピュータ記憶媒体であって、前記方法は、
ユーザ機器（ＵＥ）において、アンライセンスキャリアに対してアクセスするためのパラメータをベースステーションから受信するステップであって、前記パラメータは少なくとも、最大コンテンションウインドウ（ＣＷ）値、最小ＣＷ値、および待ち期間内の９μｓ時間スロットの個数を示す、ステップ、
前記ＵＥによって、前記パラメータにしたがって前記アンライセンスキャリアへアクセスするアクセスメカニズムを実施するステップ、
を含む
ことを特徴とする記憶媒体。
【請求項１２】
前記方法はさらに、
前記ＵＥによって、前記アンライセンスキャリアのＭＨｚ帯域幅にしたがって、前記アンライセンスキャリアについてエネルギー検出閾値を決定するステップを有する
ことを特徴とする請求項１１記載の記憶媒体。
【請求項１３】
無線通信方法であって、
ユーザ機器（ＵＥ）において、アンライセンスキャリアに対してアクセスするためのパラメータをベースステーションから受信するステップであって、前記パラメータは少なくとも、最大コンテンションウインドウ（ＣＷ）値と最小ＣＷ値を示す、ステップ、
前記ＵＥによって、前記最小ＣＷ値に基づき、前記アンライセンスキャリアへアクセスするための現在のＣＷ値を決定するステップ、
前記ＵＥによって、ハイブリッド自動繰り返しリクエスト（ＨＡＲＱ）プロセスのフィードバック情報に基づき、前記現在のＣＷ値を調整するステップ、
を有することを特徴とする方法。
【請求項１４】
無線通信装置であって、
プロセッサ、
前記プロセッサが実行したとき前記プロセッサに、
アンライセンスキャリアに対してアクセスするためのパラメータをベースステーションから受信するステップであって、前記パラメータは少なくとも、最大コンテンションウインドウ（ＣＷ）値と最小ＣＷ値を示す、ステップ、
前記最小ＣＷ値に基づき、前記アンライセンスキャリアへアクセスするための現在のＣＷ値を決定するステップ、
ハイブリッド自動繰り返しリクエスト（ＨＡＲＱ）プロセスのフィードバック情報に基づき、前記現在のＣＷ値を調整するステップ、
を実行させるコードを格納したメモリ、
を備える
ことを特徴とする装置。
【請求項１５】
プロセッサが実行したとき前記プロセッサに方法を実行させるコードを格納したコンピュータ記憶媒体であって、前記方法は、
ユーザ機器（ＵＥ）において、アンライセンスキャリアに対してアクセスするためのパラメータをベースステーションから受信するステップであって、前記パラメータは少なくとも、最大コンテンションウインドウ（ＣＷ）値と最小ＣＷ値を示す、ステップ、
前記ＵＥによって、前記最小ＣＷ値に基づき、前記アンライセンスキャリアへアクセスするための現在のＣＷ値を決定するステップ、
前記ＵＥによって、ハイブリッド自動繰り返しリクエスト（ＨＡＲＱ）プロセスのフィードバック情報に基づき、前記現在のＣＷ値を調整するステップ、
を含む
ことを特徴とする記憶媒体。
【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
送信のためのプリコーダモードを選択するステップと、
前記選択されたプリコーダモードに基づいてサイクリックプレフィックス(CP)長を変更するステップと、
前記変更されたCP長を含む信号を送信するステップとを含む方法。
【請求項２】
前記選択されたプリコーダモードに基づいて前記CP長を変更する前記ステップは、
前記選択されたプリコーダモードを使用して公称CP長を変更するための値を検索するステップを含む、請求項1に記載の方法。
【請求項３】
前記CP長を変更した後、前記変更されたCP長を示す情報を前記信号のレシーバに送信するステップをさらに含む、請求項1に記載の方法。
【請求項４】
前記プリコーダモードを選択した後、前記選択されたプリコーダモードを示す情報を前記信号のレシーバに送信するステップをさらに含む、請求項1に記載の方法。
【請求項５】
前記プリコーダモードを選択する前記ステップは、
前記信号のレシーバからフィードバック情報を受信するステップであって、前記フィードバック情報が、前記レシーバが前記CP長の変更を要求しているかどうかを示す、ステップと、
前記フィードバック情報に基づいて前記プリコーダモードを選択するステップとを含む、請求項1に記載の方法。
【請求項６】
前記プリコーダモードを選択する前記ステップは、
通信チャネルの状態を示す基準信号を受信するステップと、
前記受信された基準信号に基づいて、最小相対遅延拡散をもたらすプリコーダモードを選択するステップとを含む、請求項1に記載の方法。
【請求項７】
前記プリコーダモードを選択する前記ステップは、
通信チャネルの状態を示す基準信号を受信するステップと、
前記受信された基準信号に基づいて、最大相対遅延拡散圧縮をもたらすプリコーダモードを選択するステップとを含む、請求項1に記載の方法。
【請求項８】
前記プリコーダモードを選択する前記ステップは、
通信チャネルの状態を示す基準信号を受信するステップと、
前記受信された基準信号に基づいて、最大相対ビームフォーミング利得をもたらすプリコーダモードを選択するステップとを含む、請求項1に記載の方法。
【請求項９】
前記プリコーダモードを選択する前記ステップは、
通信チャネルの状態を示す基準信号を受信するステップと、
前記受信された基準信号に基づいて、最大相対スループットをもたらすプリコーダモードを選択するステップとを含む、請求項1に記載の方法。
【請求項１０】
前記信号は、前記選択されたプリコーダモードを使用してプリコーディングされる、請求項1に記載の方法。
【請求項１１】
請求項1〜10のいずれか一項に記載の方法のステップを実施するように構成された手段を備える装置。
【請求項１２】
前記手段は、トランシーバ、メモリ、ならびに前記トランシーバおよび前記メモリに通信可能に結合されたプロセッサを含む、請求項11に記載の装置。
【請求項１３】
請求項1〜10のいずれか一項に記載の方法のすべてのステップを実施するようにコンピュータ実行可能なプログラム命令を備えるコンピュータプログラム。
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
細胞表面で、配列番号１のペプチドとＨＬＡ−Ａ０２０１の複合体に特異的に結合する、単離された抗体またはその断片であって、ここで該抗体またはその断片は、配列番号６４のペプチドとＨＬＡ−Ａ０２０１の複合体には結合せず、ここで該細胞は、ＨＬＡ−Ａ０２０１に結合している該配列番号１のペプチドの複合体を発現する細胞であり、ここで該抗体またはその断片は、５０ｎＭの終濃度で配列番号１のペプチドとＨＬＡ−Ａ０２０１の複合体を含むＥＬＩＳＡ分析で測定されるとき、Ｆａｂ形態および免疫グロブリン形態で１０ｎＭ未満のＥＣ５０を有する、前記抗体またはその断片。
【請求項２】
配列番号１のペプチドとＨＬＡ−Ａ０２０１の前記複合体を発現する前記細胞が、がん細胞である、請求項１に記載の抗体またはその断片。
【請求項３】
前記抗体またはその断片が、
（ａ）配列番号７のＨＣＤＲ１領域、配列番号８のＨＣＤＲ２領域、配列番号９のＨＣＤＲ３領域、配列番号１０のＬＣＤＲ１領域、配列番号１１のＬＣＤＲ２領域、および配列番号１２のＬＣＤＲ３領域；
（ｂ）配列番号１７のＨＣＤＲ１領域、配列番号１８のＨＣＤＲ２領域、配列番号１９のＨＣＤＲ３領域、配列番号２０のＬＣＤＲ１領域、配列番号２１のＬＣＤＲ２領域、および配列番号２２のＬＣＤＲ３領域；
（ｃ）配列番号２７のＨＣＤＲ１領域、配列番号２８のＨＣＤＲ２領域、配列番号２９のＨＣＤＲ３領域、配列番号３０のＬＣＤＲ１領域、配列番号３１のＬＣＤＲ２領域、および配列番号３２のＬＣＤＲ３領域；
（ｄ）配列番号３７のＨＣＤＲ１領域、配列番号３８のＨＣＤＲ２領域、配列番号３９のＨＣＤＲ３領域、配列番号４０のＬＣＤＲ１領域、配列番号４１のＬＣＤＲ２領域、および配列番号４２のＬＣＤＲ３領域；
（ｅ）配列番号４７のＨＣＤＲ１領域、配列番号４８のＨＣＤＲ２領域、配列番号４９のＨＣＤＲ３領域、配列番号５０のＬＣＤＲ１領域、配列番号５１のＬＣＤＲ２領域、および配列番号５２のＬＣＤＲ３領域；
（ｆ）配列番号５７のＨＣＤＲ１領域、配列番号５８のＨＣＤＲ２領域、配列番号５９のＨＣＤＲ３領域、配列番号６０のＬＣＤＲ１領域、配列番号６１のＬＣＤＲ２領域、および配列番号６２のＬＣＤＲ３領域
を含んでなる、請求項１又は２に記載の抗体またはその断片。
【請求項４】
前記抗体またはその断片が、
（ａ）配列番号５の可変重鎖と配列番号６の可変軽鎖；
（ｂ）配列番号１５の可変重鎖と配列番号１６の可変軽鎖；
（ｃ）配列番号２５の可変重鎖と配列番号２６の可変軽鎖；
（ｄ）配列番号３５の可変重鎖と配列番号３６の可変軽鎖；
（ｅ）配列番号４５の可変重鎖と配列番号４６の可変軽鎖；
（ｆ）配列番号５５の可変重鎖と配列番号５６の可変軽鎖
を含んでなる、請求項１〜３のいずれか一項に記載の抗体またはその断片。
【請求項５】
医療で使用するための請求項１〜４のいずれか一項に記載の抗体またはその断片。
【請求項６】
前記使用が、がんによって代表されるＷＴ１陽性疾患治療である、請求項１１に記載の抗体またはその断片。
【請求項７】
請求項３又は４に記載の抗体またはその断片をコードする、単一の核酸配列または複数核酸配列を含んでなる核酸組成物。
【請求項８】
請求項７に記載の単一の核酸配列または複数の核酸配列を含んでなる、単一のベクターまたは複数のベクターを含んでなるベクター組成物。
【請求項９】
請求項７に記載の核酸組成物または請求項８に記載のベクター組成物を含んでなる、宿主細胞。
【請求項１０】
請求項１〜４のいずれか一項に記載の抗体またはその断片と薬学的に許容できる担体と、および／または賦形剤とを含んでなる、医薬組成物。
【請求項１１】
（ａ）複数の抗体または抗体断片を含んでなる抗体ライブラリーを配列番号６４のペプチドとＨＬＡ−Ａ０２０１の複合体に混合するステップと、
（ｂ）配列番号６４のペプチドとＨＬＡ−Ａ０２０１の前記複合体に結合しなかった抗体または抗体断片を抗体ライブラリーから除去するステップと、
（ｃ）ステップ（ｂ）の枯渇抗体ライブラリーを配列番号１のペプチドとＨＬＡ−Ａ０２０１の複合体に混合するステップと、
（ｄ）配列番号１のペプチドとＨＬＡ−Ａ０２０１の前記複合体に結合する、抗体またはその断片を同定するステップと
を含んでなる、請求項１〜４のいずれか一項に記載の抗体またはその断片を同定する方法。
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
ワイヤレス通信デバイスによって実行されるワイヤレス通信の方法であって、
受信した圧縮されていないヘッダを介して基地局との同期を達成することと、続いて、前記ワイヤレス通信デバイスの受信機によって、圧縮ヘッダを受信することと、
前記圧縮ヘッダに関して解凍失敗が発生していると決定することと、
前記決定された解凍失敗に関連付けられた解凍されたヘッダ情報要素が所定の解釈ウィンドウの外側であると決定することと、
前記基地局との同期を維持するために、前記解凍されたヘッダ情報要素が、前記所定の解釈ウィンドウの外側であるという前記決定に少なくとも部分的に基づいて、前記解凍されたヘッダ情報要素を修復しようと試みることと
を備える、方法。
【請求項２】
前記解凍されたヘッダ情報要素が前記所定の解釈ウィンドウの外側であると決定することは、
直近の成功裏に解凍されたヘッダのヘッダ情報要素値と、圧縮されたスケーリングされていないヘッダ情報要素値に対して受信された圧縮ヘッダ中のビット数とに少なくとも基づいて、前記解凍されたヘッダ情報要素がウィンドウの外側であると決定することを備える、
請求項１に記載の方法。
【請求項３】
前記解凍されたヘッダ情報要素が前記所定の解釈ウィンドウの外側であると決定することは、
前記解凍されたヘッダ情報要素が所定のフォーマットに従っていると決定することを備える、
請求項１に記載の方法。
【請求項４】
前記解凍されたヘッダ情報要素が前記所定のフォーマットに従っていると決定することは、
前記解凍されたヘッダ情報要素が、最後に成功裏に解凍されたヘッダ情報要素＋最小のユニットの整数倍に等しいと決定することを備える、
請求項３に記載の方法。
【請求項５】
前記最小のユニットの前記整数倍が、前記最小のユニットの正または負の整数倍である、
請求項４に記載の方法。
【請求項６】
前記解凍されたヘッダ情報要素を修復しようと試みることは、
所定のフォーマットに従っていて、前記圧縮ヘッダと関連付けられたものに一致する最下位ビットを有する、第１の候補ヘッダ情報要素を取得することを備える、
請求項１に記載の方法。
【請求項７】
前記所定のフォーマットに従っている前記第１の候補ヘッダ情報要素を取得することは、
最後に成功裏に解凍されたヘッダ情報要素＋最小のユニットの整数倍に等しい前記第１の候補ヘッダ情報要素を取得することを備える、
請求項６に記載の方法。
【請求項８】
前記最小のユニットの前記整数倍は、前記最小のユニットの正または負の整数倍である、
請求項７に記載の方法。
【請求項９】
前記第１の候補ヘッダ情報要素を使用して、前記受信したヘッダを解凍しようと試みることをさらに備える、
請求項６に記載の方法。
【請求項１０】
前記第１の候補ヘッダ情報要素を使用する前記受信したヘッダの成功裏の解凍を決定することと、
最後に成功裏に解凍されたＴＳを前記第１の候補ヘッダ情報要素で更新することと
をさらに備える、請求項９に記載の方法。
【請求項１１】
前記第１の候補ヘッダ情報要素を使用する前記受信したヘッダの前記成功裏の解凍を決定することが、
前記第１の候補ヘッダ情報要素を使用した、少なくとも前記受信したヘッダの巡回冗長検査（ＣＲＣ）が満足されると決定することを備える、
請求項１０に記載の方法。
【請求項１２】
前記第１の候補ヘッダ情報要素を使用する前記受信したヘッダの不成功裏の解凍を決定することと、
前記所定のフォーマットに従っていて、前記圧縮ヘッダと関連付けられたものに一致する最下位ビットを有する、他の候補ヘッダ情報要素が存在しないか、またはしきい値数の修復の試みが満足されていると決定することと、
前記圧縮ヘッダを受信したことに応答して否定応答（ＮＡＣＫ）を送信することと
をさらに備える、請求項９に記載の方法。
【請求項１３】
前記第１の候補ヘッダ情報要素を使用する前記受信したヘッダの不成功裏の解凍を決定することと、
前記所定のフォーマットに従っていて、前記圧縮ヘッダと関連付けられたものに一致する最下位ビットを有する、第２の候補ヘッダ情報要素を取得することと、
前記第２の候補ヘッダ情報要素を使用して、前記受信したヘッダを解凍しようと試みることと
をさらに備える、請求項９に記載の方法。
【請求項１４】
前記第２の候補ヘッダ情報要素を使用する前記受信したヘッダの成功裏の解凍を決定することと、
最後に成功裏に解凍されたＴＳを前記第２の候補ヘッダ情報要素で更新することと
をさらに備える、請求項１３に記載の方法。
【請求項１５】
ワイヤレス通信のための装置であって、
請求項１乃至１４のいずれか１項に記載の方法を実行するための手段を備える、装置。